(57)【要約】【課題】電気光学装置の電源オフ時における残像表示を一層有効に抑制する。【解決手段】タイミングｔ1以前の通常駆動時には、画素の表示階調に応じた階調電圧が所定の出力レンジ内で選択され、これがデータ線に出力される。これにより、階調電圧がデータ線を介して供給される画素電極と、一定の電圧Ｖ1が印加される対向電極との間の電位差が可変に設定される。電気光学装置の電源をオフする場合、電源オフに先立つオフシーケンス期間ｔ1〜ｔ3において、中心電圧Ｖcntrが選択され、これがデータ線に出力される。この中心電圧Ｖcntrは、階調電圧の出力レンジＶmin〜Ｖmaxの中心に位置し、かつ、第１の電圧Ｖ1よりも高い電圧である。これにより、画素電極に印加される電圧は、対向電極に印加される電圧Ｖ1相当に設定される。【選択図】図３
2005250034.tif 000002
【特許請求の範囲】
【請求項１】
電気光学装置において、
複数の走査線と、
複数のデータ線と、
前記複数の走査線と前記複数のデータ線との交差に対応して設けられ、一方の電極と他方の電極とによって挟持された電気光学層を含む複数の画素と、
前記複数の走査線を順次選択する走査線駆動回路と、
前記複数のデータ線に供給する電圧を選択するとともに、前記走査線駆動回路と協働して、前記選択された電圧を前記データ線を介して前記一方の電極に供給するデータ線駆動回路とを有し、
前記データ線駆動回路は、
通常駆動時には、前記画素の表示階調に応じた階調電圧を所定の出力レンジ内で選択することによって、前記階調電圧が供給される前記一方の電極と、一定の第１の電圧が印加される前記他方の電極との間の電位差を可変に設定し、
前記電気光学装置の電源をオフする場合には、当該電源オフに先立つオフシーケンスにおいて、前記出力レンジの中心に位置し、かつ、前記第１の電圧よりも高い中心電圧を選択することによって、前記一方の電極に印加される電圧を、前記他方の電極に印加される前記第１の電圧相当に設定することを特徴とする電気光学装置。
【請求項２】
前記中心電圧は、前記データ線駆動回路によって選択される電圧が前記一方の電極に供給されるまでの経路中に存在するトランジスタのプッシュダウン分、前記第１の電圧よりも高いことを特徴とする請求項１に記載された電気光学装置。
【請求項３】
電気光学装置において、
複数の走査線と、
複数のデータ線と、
前記複数の走査線と前記複数のデータ線との交差に対応して設けられ、一方の電極と他方の電極とによって挟持された電気光学層を含む複数の画素と、
前記複数の走査線を順次選択する走査線駆動回路と、
前記複数のデータ線に供給する電圧を選択するとともに、前記走査線駆動回路と協働して、前記選択された電圧を前記データ線を介して前記一方の電極に供給するデータ線駆動回路とを有し、
前記データ線駆動回路は、
通常駆動時には、前記画素の表示階調に応じた階調電圧を所定の出力レンジ内で選択することによって、前記階調電圧が供給される前記一方の電極と、第１の電圧と第２の電圧とが交互に印加される前記他方の電極との間の電位差を可変に設定し、
前記電気光学装置の電源をオフする場合には、当該電源オフに先立つオフシーケンスにおいて、前記出力レンジの中心に位置し、かつ、前記第１の電圧と前記第２の電圧との中心に位置する第３の電圧よりも高い中心電圧を選択することによって、前記一方の電極に印加される電圧を、前記他方の電極に印加される前記第３の電圧相当に設定することを特徴とする電気光学装置。
【請求項４】
前記中心電圧は、前記データ線駆動回路によって選択される電圧が前記一方の電極に供給されるまでの経路中に存在するトランジスタのプッシュダウン分、前記第３の電圧よりも高いことを特徴とする請求項３に記載された電気光学装置。
【請求項５】
前記オフシーケンスにおいて、
前記走査線駆動回路は、前記複数の走査線を順次選択するとともに、
前記データ線駆動回路は、少なくとも前記複数の走査線のすべての選択が終了するまでの間、前記複数のデータ線に供給する電圧として、前記中心電圧を選択することを特徴とする請求項１または３に記載された電気光学装置。
【請求項６】
前記電源オフは、前記オフシーケンスの終了後であって、かつ、前記データ線駆動回路によって選択される電圧が前記一方の電極に供給されるまでの経路中に存在するトランジスタをオフさせた後に行われることを特徴とする請求項１から５のいずれかに記載された電気光学装置。
【請求項７】
請求項１から６のいずれかに記載された電気光学装置を実装したことを特徴とする電子機器。
【請求項８】
複数の走査線と複数のデータ線との交差に対応して設けられた複数の画素を有し、前記画素のそれぞれが、一方の電極と他方の電極とによって挟持された電気光学層を含む電気光学装置の駆動方法において、
一定の第１の電圧が前記他方の電極に印加されている状態で、前記画素の表示階調に応じて可変に設定される階調電圧の出力レンジの中心に位置し、かつ、前記第１の電圧よりも高い中心電圧を前記複数のデータ線に供給する第１のステップと、
前記中心電圧が前記複数のデータ線に供給されている状態で、前記複数の走査線を順次選択することによって、前記データ線を介して前記一方の電極に印加される電圧を、前記他方の電極に印加される前記第１の電圧相当に設定する第２のステップと、
前記複数の走査線のすべての選択が終了した後に、前記電気光学装置の電源をオフする第３のステップと
を有することを特徴とする電気光学装置の駆動方法。
【請求項９】
複数の走査線と複数のデータ線との交差に対応して設けられた複数の画素を有し、前記画素のそれぞれが、一方の電極と他方の電極とによって挟持された電気光学層を含む電気光学装置の駆動方法において、
通常駆動時に交互に設定される第１の電圧と第２の電圧との中心に位置する第３の電圧が前記他方の電極に印加されている状態で、前記画素の表示階調に応じて可変に設定される階調電圧の出力レンジの中心に位置し、かつ、前記第３の電圧よりも高い中心電圧を前記複数のデータ線に供給する第１のステップと、
前記中心電圧が前記複数のデータ線に供給されている状態で、前記複数の走査線を順次選択することによって、前記一方の電極に印加される電圧を、前記他方の電極に印加される前記第３の電圧相当に設定する第２のステップと、
前記複数の走査線のすべての選択が終了した後に、前記電気光学装置の電源をオフする第３のステップと
を有することを特徴とする電気光学装置の駆動方法。
【発明の詳細な説明】
【技術分野】
【０００１】
本発明は、電気光学装置、電気光学装置の駆動方法および電子機器に係り、特に、電気光学装置の電源オフに先立ち行われるオフシーケンスに関する。
【背景技術】
【０００２】
特許文献１には、液晶表示装置の電源オフ時に生じる残像を抑制すべく、電源オフに先立ち行われるオフシーケンスについて開示されている。このオフシーケンスにおいて、データ線駆動回路（ソースドライバ）は、本来表示すべき階調とは無関係に、対向電極（共通電極）の印加電圧と同一の電圧（例えば０Ｖ）を選択し、選択された電圧をデータ線に出力する。これにより、画素電極と共通電極との間の電位差が最小になって、これらによって挟持された液晶層の残留電荷も低減される。
【特許文献１】特開２００３−５０５６５号公報
【発明の開示】
【発明が解決しようとする課題】
【０００３】
しかしながら、上述した従来技術では、データ線駆動回路からの出力電圧が画素電極に供給されるまでの経路中に存在するトランジスタのプッシュダウンの影響が考慮されていない。ここで、「プッシュダウン」とは、トランジスタのゲート・ドレイン間の寄生容量に起因した電圧変化（突き抜け電圧）をいう。データ線駆動回路の出力電圧を対向電極の印加電圧と同一にした場合、データ線を介して画素電極に実際に印加される電圧は、プッシュダウン分だけ出力電圧よりも低下する。そのため、画素電極と対向電極との間にプッシュダウン分の電位差が生じ、液晶層に電荷が残留してしまう。このような残留状態で電源をオフしても、残像表示を完全に解消することはできないばかりか、液晶層に長時間直流が印加されて、その劣化を早めてしまうといった問題も生じる。
【０００４】
本発明は、かかる事情に鑑みてなされたものであり、その目的は、電気光学装置の電源オフ時における残像表示を一層有効に抑制することである。
【０００５】
また、本発明の別の目的は、液晶層に代表される電気光学層の劣化を一層有効に抑制し、電気光学装置の寿命向上を図ることである。
【課題を解決するための手段】
【０００６】
かかる課題を解決するために、第１および第２の発明は、複数の走査線と、複数のデータ線と、複数の画素と、走査線駆動回路と、データ線駆動回路とを有する電気光学装置を提供する。複数の画素は、複数の走査線と複数のデータ線との交差に対応して設けられている。画素のそれぞれは、一方の電極と他方の電極とによって挟持された電気光学層を含む。走査線駆動回路は、複数の走査線を順次選択する。データ線駆動回路は、複数のデータ線に供給する電圧を選択するとともに、走査線駆動回路と協働して、選択された電圧をデータ線を介して一方の電極に供給する。このような構成において、第１の発明は、対向電極の印加電圧を一定に保持するいわゆるコモンＤＣ駆動のオフシーケンスに関し、第２の発明は、対向電極の印加電圧を可変に設定するいわゆるコモンＡＣ駆動のオフシーケンスに関する。
【０００７】
すなわち、第１の発明において、データ線駆動回路は、通常駆動時に、画素の表示階調に応じた階調電圧を所定の出力レンジ内で選択・出力する。これにより、階調電圧が供給される一方の電極と、一定の第１の電圧が印加される他方の電極との間の電位差が可変に設定される。電気光学装置の電源をオフする場合、データ線駆動回路は、電源オフに先立つオフシーケンスにおいて中心電圧を選択・出力する。この中心電圧は、階調電圧の出力レンジの中心に位置し、かつ、第１の電圧よりも高い電圧である。これにより、一方の電極に印加される電圧は、他方の電極に印加される第１の電圧相当に設定される。ここで、中心電圧は、データ線駆動回路によって選択される電圧が一方の電極に供給されるまでの経路中に存在するトランジスタのプッシュダウン分、第１の電圧よりも高いことが好ましい。
【０００８】
また、第２の発明において、データ線駆動回路は、通常駆動時に、画素の表示階調に応じた階調電圧を所定の出力レンジ内で選択・出力する。これにより、階調電圧が供給される一方の電極と、第１の電圧と第２の電圧とが交互に印加される他方の電極との間の電位差が可変に設定される。電気光学装置の電源をオフする場合、データ線駆動回路は、電源オフに先立つオフシーケンスにおいて中心電圧を選択・出力する。この中心電圧は、階調電圧の出力レンジの中心に位置し、かつ、第１の電圧と第２の電圧との中心に位置する第３の電圧よりも高い電圧である。これにより、一方の電極に印加される電圧は、他方の電極に印加される第３の電圧相当に設定される。ここで、中心電圧は、データ線駆動回路によって選択される電圧が一方の電極に供給されるまでの経路中に存在するトランジスタのプッシュダウン分、第３の電圧よりも高いことが好ましい。
【０００９】
第１または第２の発明によれば、オフシーケンスにおいて、一方の電極の印加電圧が他方の電極の印加電圧相当になって、電気光学層の残留電荷が実質的に存在しなくなる。残留電荷が存在しない状態で電源をオフすれば、残像の発生を有効に抑制できる。また、残留電荷が存在しないので、電源オフ後に電気光学層に長時間直流が印加される状態を防止できる。その結果、電気光学層の劣化を抑制でき、電気光学装置の寿命向上を図ることが可能になる。
【００１０】
また、第１または第２の発明のオフシーケンスにおいて、走査線駆動回路は、複数の走査線を順次選択するとともに、データ線駆動回路は、少なくとも複数の走査線のすべての選択が終了するまでの間、複数のデータ線に供給する電圧として、中心電圧を選択することが好ましい。これにより、複数の画素によって構成される表示部全体に亘って、上述した効果が均一に得られる。
【００１１】
また、第１または第２の発明において、電源オフは、オフシーケンスの終了後であって、かつ、データ線駆動回路によって選択される電圧が一方の電極に供給されるまでの経路中に存在するトランジスタをオフさせた後に行われることが望ましい。これにより、電気光学層の残留電荷がより確実に存在しなくなるので、上述した効果が一層顕著になる。
【００１２】
さらに、第３の発明は、第１または第２の発明にかかる電気光学装置を実装した電子機器を提供する。これにより、電子機器の商品価値を一層高めることができ、市場における電子機器の商品訴求力の向上を図ることができる。
【００１３】
一方、第４または第５の発明は、複数の走査線と複数のデータ線との交差に対応して設けられた複数の画素を有し、画素のそれぞれが、一方の電極と他方の電極とによって挟持された電気光学層を含む電気光学装置の駆動方法に関する。第４の発明はコモンＤＣ駆動のオフシーケンスに関し、第５の発明はコモンＡＣ駆動のオフシーケンスに関する。
【００１４】
すなわち、第４の発明にかかる駆動方法は、一定の第１の電圧が他方の電極に印加されている状態で、画素の表示階調に応じて可変に設定される階調電圧の出力レンジの中心に位置し、かつ、第１の電圧よりも高い中心電圧を複数のデータ線に供給する第１のステップと、中心電圧が複数のデータ線に供給されている状態で、複数の走査線を順次選択することによって、一方の電極に印加される電圧を、他方の電極に印加される第１の電圧相当に設定する第２のステップと、複数の走査線のすべての選択が終了した後に、電気光学装置の電源をオフする第３のステップとを有する。
【００１５】
また、第５の発明にかかる駆動方法は、通常駆動時に交互に設定される第１の電圧と第２の電圧との中心に位置する第３の電圧が他方の電極に印加されている状態で、画素の表示階調に応じて可変に設定される階調電圧の出力レンジの中心に位置し、かつ、第３の電圧よりも高い中心電圧を複数のデータ線に供給する第１のステップと、中心電圧が複数のデータ線に供給されている状態で、複数の走査線を順次選択することによって、一方の電極に印加される電圧を、他方の電極に印加される第３の電圧相当に設定する第２のステップと、複数の走査線のすべての選択が終了した後に、電気光学装置の電源をオフする第３のステップとを有する。
【００１６】
第４または第５の発明によれば、上述した第１または第２の発明と同様の効果を得ることができる。
【発明を実施するための最良の形態】
【００１７】
（第１の実施形態）
図１は、本実施形態にかかる電気光学装置のブロック構成図である。表示部１は、例えばＴＦＴ（Thin Film Transistor）によって電気光学素子を駆動するアクティブマトリクス型の表示パネルである。この表示部１には、ｍドット×ｎライン分の画素群がマトリクス状（二次元平面的）に並んでいる。表示部１には、それぞれが水平方向に延在している走査線群Ｙ1〜Ｙnと、それぞれが垂直方向に延在しているデータ線群Ｘ1〜Ｘmとが設けられており、これらの交差に対応して画素２が配置されている。
【００１８】
図２は、一例として液晶層を用いた画素２の等価回路図である。１つの画素２は、スイッチング素子であるＴＦＴ２１、液晶容量２２および蓄積容量２３によって構成されている。ＴＦＴ２１のソースは１本のデータ線Ｘに接続され、そのゲートは１本の走査線Ｙに接続されている。同一列に並んだ画素２に関しては、それぞれのＴＦＴ２１のソースが同じデータ線Ｘに接続されている。また、同一行に並んだ画素２に関しては、それぞれのＴＦＴ２１のゲートが同じ走査線Ｙに接続されている。ＴＦＴ２１のドレインは、並列に設けられた液晶容量２２と蓄積容量２３とに共通接続されている。液晶容量２２は、画素電極２２ａと、電圧Ｖcomが印加された対向電極２２ｂと、これらの電極２２ａ，２２ｂ間に挟持された液晶層とで構成されている。蓄積容量２３は、画素電極２２ａと、図示しない共通容量電極との間に形成されており、電圧Ｖcsが供給される。この蓄積容量２３は、液晶に蓄積される電荷のリークを抑制するために設けられているが、かかる点を考慮しないのであれば設けなくてもよい。一方、画素電極２２ａには、データ線ＸおよびＴＦＴ２１を介して電圧が供給・印加される。これにより、一対の電極２２ａ，２２ｂ間の電位差に応じて液晶容量２２等が充放電され、液晶層の透過率が設定される。
【００１９】
画素２の駆動は、液晶層の寿命向上を図るべく、所定の期間毎に電圧極性を反転させる交流化駆動によって行われる。この電圧極性は、液晶層に作用する電界の向き、換言すれば、液晶層の印加電圧の正逆に基づいて定義される。本実施形態では、交流化駆動の一方式であるコモンＤＣ駆動、すなわち、対向電極２２ｂに印加される電圧Ｖcom（およびＶcs）を一定に保ち、画素電極２２ａに印加される電圧の極性を電圧Ｖcomを基準に周期的に反転させる駆動方式を採用している。
【００２０】
制御回路５は、図示しない上位装置より入力される垂直同期信号Ｖs、水平同期信号Ｈs、ドットクロック信号ＤＣＬＫ等に基づいて、図３に示す内部信号ＤＹ，ＣＬＹ，ＤＸ，ＣＬＸ等を出力して、走査線駆動回路３およびデータ線駆動回路４を同期制御する。この同期制御の下、これらの回路３，４は互いに協働して、表示部１の表示制御を行う。
【００２１】
走査線駆動回路３は、シフトレジスタや出力回路等を主体に構成されており、走査線Ｙ1〜Ｙnを所定の順序で順次選択する線順次走査を行う。具体的には、１フレーム（１Ｆ）の最初に供給されるスタートパルスＤＹがクロック信号ＣＬＹにしたがって転送され、これにより、各走査線Ｙ1〜Ｙnに出力される走査信号の電圧レベルが設定される。走査信号は２値的なレベルをとり、データの書込対象となる画素行に対応する走査線Ｙは高電圧レベル（以下、「Ｈレベル」という）に設定され、これ以外の走査線Ｙは低電圧レベル（以下、「Ｌレベル」という）に設定される。１本の走査線ＹがＨレベルに維持される期間、すなわち、その走査線Ｙが選択される期間が１水平走査期間（１Ｈ）である。このような走査線Ｙ1〜Ｙnの順次選択に伴い、１Ｆにおいて、データの書込対象となる画素行が１Ｈ毎に順番に選択されていく。
【００２２】
データ線駆動回路４は、シフトレジスタ、ラインラッチ回路、ＤＡＣ等を主体に構成されており、データ線Ｘ1〜Ｘmに供給する電圧を予め用意された電圧群に基づいて選択し、選択された電圧を出力する。データ線駆動回路４の基本動作として、今回の１Ｈでデータの書込対象となる画素行に対するデータの一斉出力と、次の１Ｈで書き込みを行う画素行に関するデータの点順次的なラッチとが同時に行われる。すなわち、１Ｈの最初に出力されるスタートパルスＤＸがクロック信号ＣＬＸにしたがって転送され、これにより、１Ｈにおいて、上位の回路よりシリアルに供給されたｍ個のデータが順次ラッチされる。そして、次の１Ｈにおいて、ラッチされたｍ個のデータは、ＤＡＣにおいてアナログ的な電圧データに変換されて、対応するデータ線Ｘ1〜Ｘmにパラレルに一斉出力される。
【００２３】
図３は、本実施形態にかかるコモンＤＣ駆動の動作タイミングチャートである。同図において、太い実線は、データ線駆動回路４があるデータ線Ｘに出力する電圧Ｖxの波形を示している。ただし、タイミングｔ1以前の波形の形状は一例にすぎず、実際には表示すべき画像によって様々な形状になる点に留意されたい。また、太い点線は、画素２の対向電極２２ｂに印加される電圧Ｖcomの波形である。コモンＤＣ駆動の場合、通常駆動が行われるタイミングｔ1以前、または、オフシーケンスが行われる期間ｔ1〜ｔ2に関わりなく、対向電極２２ｂの印加電圧Ｖcomは一定値（すなわちＶ1）に維持される。
【００２４】
通常駆動が行われるタイミングｔ1以前において、走査線駆動回路３は、走査線Ｙ1〜Ｙnの線順次走査を行うとともに、データ線駆動回路４は、走査線駆動回路３と協働して、画素２の表示階調に応じた階調電圧を選択・出力する。これによって、階調電圧がデータ線Ｘを介して供給される画素電極２２ａと、電圧Ｖcomが印加される対向電極２２ｂとの間の電位差が可変に設定され、画素２の階調が設定される。ここで、階調電圧は、予め設定された上限値Ｖmaxと下限値Ｖminとによって規定される出力レンジ内において選択される。また、対向電極２２ｂの印加電圧Ｖcomは一定値Ｖ1であるから、フレームの駆動極性は階調電圧に依存して設定される。同図に示した例において、奇数番目のフレームでは、出力レンジＶmin〜Ｖmaxのうち、電圧値Ｖ1よりも高いレンジ内で階調電圧が選択され、これがデータ線Ｘに出力される（正極駆動）。これに対して、偶数番目のフレームでは、出力レンジＶmin〜Ｖmaxのうち、電圧値Ｖ1よりも低いレンジ内で階調電圧が選択され、これがデータ線Ｘに出力される（負極駆動）。なお、階調電圧の出力レンジＶmin〜Ｖmaxに関して、その中心に位置する中心電圧Ｖcntrは、対向電極２２ｂの印加電圧ＶcomであるＶ1よりも高く設定されている。中心電圧Ｖcntrを高く設定する理由は、データ線駆動回路４によって選択される電圧が画素電極２２ａに供給されるまでの経路中に存在するトランジスタのプッシュダウンの影響が考慮されているからである。一般に、階調電圧は、液晶層の劣化を防ぐために、または、フリッカなどの画質低下を抑制するために、液晶層への直流印加ができるだけ少なくなるように設定されている。換言すれば、対向電極２２ｂの印加電圧ＶcomであるＶ1と中心電圧Ｖcntrとの関係は、前者が後者よりもプッシュダウン分だけ低い電圧に設定されている。このようなプッシュダウンを考慮すべきトランジスタとしては、例えば、図２に示した画素２に含まれるＴＦＴ２１（画素トランジスタ）が挙げられるが、これ以外にも、データ線駆動回路４の一部を構成するＤＡＣの後段に設けられたサンプルホールドトランジスタ等も挙げられる。そこで、このようなプッシュダウンによる電圧低下分ΔＶを実験やシミュレーション等を通じて予め特定し、電圧Ｖ1と中心電圧Ｖcntrとの間にΔＶ分の差を設定しておけば、ΔＶを実質的に相殺できる。このような観点から、階調電圧の出力レンジＶmin〜Vmaxは、Ｖ1に対してΔＶだけ全体的に高電圧側にオフセットしているのである。
【００２５】
図示しない上位装置からの指示によって、電気光学装置の電源をオフする場合、いきなり電源をオフするのではなく、これに先立ちオフシーケンスが行われる。オフシーケンスの前半期間ｔ1〜ｔ2において、走査線駆動回路３は、１Ｆ以上の期間、すなわち、少なくとも走査線Ｙ1〜Ｙnのすべての選択が終了するまでの間、走査線Ｙ1〜Ｙnの線順次走査を行う。それとともに、データ線駆動回路４は、画素２の表示階調とは無関係に中心電圧Ｖcntrを選択・出力する。また、対向電極２２ｂの印加電圧ＶcomはＶ1に維持される。この場合、画素電極２２ａの印加電圧は、画素電極２２ａに至るまでの電圧供給経路に存在するトランジスタのプッシュダウンによってΔＶだけ低下するので、（Ｖcntr−ΔＶ）になる。この値（Ｖcntr−ΔＶ）は、対向電極２２ｂの印加電圧ＶcomであるＶ1に相当する。したがって、一対の電極２２ａ，２２ｂ間の電位差が実質的に存在せず、液晶層の電荷がほぼ完全に消失する（実質０Ｖ書き込み）。また、オフシーケンスの後半期間ｔ2〜ｔ3では、液晶層の残留電荷をより確実に消失させるべく、電圧供給経路に存在するトランジスタ、例えば、画素２内のＴＦＴ２１、或いは、サンプルホールドトランジスタをオフさせる（オフ準備）。その際、スタートパルスＤＸ，ＤＹの入力は停止するが、クロック信号ＣＬＸ，ＣＬＹは入力し続けておく。そして、これらのトランジスタがオフした後に、電気光学装置の電源オフが実行される。
【００２６】
このように、本実施形態によれば、上述した従来技術と比較して、液晶層の残留電荷を著しく低減させることができる。従来技術において、データ線駆動回路が選択・出力する電圧は、対向電極の印加電圧と同一である。したがって、画素電極に印加される電圧は、対向電極の印加電圧と一致せず、実際には、プッシュダウンによる電圧低下分ΔＶだけ対向電極の印加電圧よりも低くなる。その結果、電源オフ時に、電圧低下分ΔＶに応じた電荷が液晶層に残留する。これに対して、本実施形態において、データ線駆動回路４が選択・出力する電圧は、対向電極２２ｂの印加電圧Ｖcom（＝Ｖ1）と同一ではなく、これよりもΔＶだけ高い中心電圧Ｖcntrである。したがって、画素電極２２ａに印加される電圧は、中心電圧Ｖcntrからプッシュダウンの電圧変化量ΔＶ分だけ低下した値になり、結果的に、対向電極２２ｂの印加電圧ＶcomであるＶ1と一致する。したがって、液晶層の残留電荷が実質的に存在しないので、電源オフ時における残像の発生を有効に抑制することができる。それとともに、残留電荷に起因して液晶層に長時間直流が印加される状態も防止できるので、液晶層の劣化を抑制でき、電気光学装置の寿命向上を図ることが可能になる。
【００２７】
また、本実施形態では、オフシーケンスにおいて、少なくとも走査線Ｙ1〜Ｙnのすべての選択が終了するまでの間、データ線Ｘ1〜Ｘmに供給する電圧として、中心電圧Ｖcntrを選択し続けている。これにより、複数の画素２によって構成される表示部１の全体に亘って、上述した効果が均一に得られる。
【００２８】
（第２の実施形態）
本実施形態は、対向電極２２ｂの印加電圧を可変に設定するいわゆるコモンＡＣ駆動（コモン降り駆動）のオフシーケンスに関する。なお、電気光学装置および画素２の基本構成については、図１および図２と同様であるので、ここでの説明を省略する。
【００２９】
図４は、本実施形態にかかるコモンＡＣ駆動のタイミングチャートである。同図において、太い実線はデータ線駆動回路４があるデータ線Ｘに出力する電圧Ｖxの波形を、太い点線は画素２の対向電極２２ｂに印加される電圧Ｖcomの波形をそれぞれ示している。コモンＡＣ駆動の場合、通常駆動が行われるタイミングｔ1以前において、対向電極２２ｂの印加電圧Ｖcomは所定の周期（例えば１Ｆ）で２つの電圧値Ｖl，Ｖhに交互に設定される（Ｖl＜Ｖh）。また、オフシーケンスが行われる期間ｔ1〜ｔ2において、この印加電圧Ｖcomは、これらの電圧値Ｖl，Ｖhの中心に位置する中心電圧Ｖcntr'に設定される。
【００３０】
通常駆動が行われるタイミングｔ1以前において、走査線駆動回路３は、走査線Ｙ1〜Ｙnの線順次走査を行うとともに、データ線駆動回路４は、画素２の表示階調に応じた階調電圧を所定の出力レンジＶmin〜Ｖmax内で選択・出力する。これによって、階調電圧がデータ線Ｘを介して供給される画素電極２２ａと、電圧Ｖcomが印加される対向電極２２ｂとの間の電位差が可変に設定され、画素２の階調が設定される。また、対向電極２２ｂの印加電圧ＶcomはＶl，Ｖhのいずれかを採り、フレームの駆動極性は電圧Ｖcomに依存して設定される。同図に示した例において、奇数番目のフレームでは、対向電極２２ｂの印加電圧Ｖcomとして低電圧値Ｖlが設定され、すべての階調電圧はＶlよりも高電圧側に設定される（正極駆動）。これに対して、偶数番目のフレームでは、対向電極２２ｂの印加電圧Ｖcomとして高電圧値Ｖhが設定され、すべての階調電圧はＶhよりも低電圧側に設定される（負極駆動）。なお、階調電圧の出力レンジＶmin〜Ｖmaxの中心に位置する中心電圧Ｖcntrは、上述したプッシュダウンの電圧低下分ΔＶを考慮して、２つの電圧値Ｖl，Ｖhの中心に位置する中心電圧Ｖcntr'よりも高く設定されている。
【００３１】
電気光学装置の電源をオフする場合、電源オフに先立ちオフシーケンスが行われる。オフシーケンスの前半期間ｔ1〜ｔ2において、走査線駆動回路３は、１Ｆ以上の期間、換言すれば、少なくとも走査線Ｙ1〜Ｙnのすべての選択が終了するまでの間、走査線Ｙ1〜Ｙnの線順次走査を行う。それとともに、データ線駆動回路４は、画素２の表示階調とは無関係に中心電圧Ｖcntrを選択・出力する。また、対向電極２２ｂの印加電圧Ｖcomは２つの電圧値Ｖl，Ｖhの中間に位置する中心電圧Ｖcentr'に維持されている。この場合、画素電極２２ａの印加電圧は、画素電極２２ａに至るまでの電圧供給経路に存在するトランジスタのプッシュダウンによってΔＶだけ低下するので、（Ｖcntr−ΔＶ）になる。この値（Ｖcntr−ΔＶ）は、対向電極２２ｂの印加電圧ＶcomであるＶcntr'に相当する。したがって、一対の電極２２ａ，２２ｂ間の電位差が実質的に存在せず、液晶層の電荷がほぼ完全に消失する。一方、このような実質０Ｖ書き込みに続いてオフ準備を行う後半期間ｔ2〜ｔ3では、液晶層の残留電荷をより確実に消失させるべく、電圧供給経路に存在するトランジスタをオフさせる。その際、スタートパルスＤＸ，ＤＹの入力は停止するが、クロック信号ＣＬＸ，ＣＬＹは入力し続けておく。そして、これらのトランジスタがオフした後に、電気光学装置の電源オフが実行される。
【００３２】
このように、本実施形態によれば、コモンＡＣ駆動において、電源オフ時に残留電荷が実質的に存在しないので、第１の実施形態と同様の効果が得られる。
【００３３】
なお、上述した各実施形態にかかる電気光学装置は、例えば、テレビ、プロジェクタ、携帯電話、携帯端末、モバイル型コンピュータ、パーソナルコンピュータ等を含む様々な電子機器に実装可能である。図５は、一例として、上述した各実施形態にかかる電気光学装置を実装した携帯電話１０の斜視図である。この携帯電話１０は、複数の操作ボタン１１のほか、受話口１２、送話口１３とともに、上述した表示部１を備えている。これらの電子機器に上述した電気光学装置を実装すれば、電子機器の商品価値を一層高めることができ、市場における電子機器の商品訴求力の向上を図ることができる。
【図面の簡単な説明】
【００３４】
【図１】電気光学装置のブロック構成図
【図２】液晶を用いた画素の等価回路図
【図３】コモンＤＣ駆動のタイミングチャート
【図４】コモンＡＣ駆動のタイミングチャート
【図５】電気光学装置を実装した携帯電話の斜視図
【符号の説明】
【００３５】
１  表示部
２  画素
３  走査線駆動回路
４  データ線駆動回路
５  制御回路
【図１】
2005250034.tif 000003
【図２】
2005250034.tif 000004
【図３】
2005250034.tif 000005
【図４】
2005250034.tif 000006
【図５】
2005250034.tif 000007